(57)【要約】【課題】負荷に給電する電圧の変換効率を向上するとともに、ノイズによる不具合を抑制することができる電子機器を提供する。【解決手段】電子機器は、入力された電圧を所定の電圧に変換して負荷に給電する電圧変換部と、負荷において消費される電力の大きさと、負荷の動作モードの遷移状態とに基づいて、電圧変換部による変換の変換方式を切替える制御部と、を備える。【選択図】図２
2013153630.tif 000002
【特許請求の範囲】
【請求項１】
入力された電圧を所定の電圧に変換して負荷に給電する電圧変換部と、
前記負荷において消費される電力の大きさと、前記負荷の動作モードの遷移状態とに基づいて、前記電圧変換部による変換の変換方式を切替える制御部と、
を備えることを特徴とする電子機器。
【請求項２】
前記制御部は、
前記負荷において消費される電力の大きさに応じて前記変換方式を切替える第１制御部と、
前記遷移状態として、前記動作モードが第１動作モードから前記第１動作モードとは異なる第２動作モードに遷移中であるか否かを判定するととともに、当該判定した結果に基づいて、前記第１制御部による前記変換方式の切替えを制御する第２制御部と、
を備えることを特徴とする請求項１に記載の電子機器。
【請求項３】
前記第２制御部は、
前記動作モードが遷移中でないと判定した場合、前記第１制御部による前記変換方式の切替えを禁止し、
前記動作モードの遷移状態が遷移中であると判定した場合、前記第１制御部による前記変換方式の切替えを許可する
ことを特徴とする請求項２に記載の電子機器。
【請求項４】
前記制御部は、
前記動作モードが遷移中であると判定した場合、遷移後の動作モードに対応付けられている前記変換方式に切替える
ことを特徴とする請求項１または３に記載の電子機器。
【請求項５】
前記電圧変換部は、
スイッチングレギュレータを含み、
前記変換方式をパルス幅変調方式として前記スイッチングレギュレータを制御する第１変換制御部と、
前記変換方式をパルス周波数変調方式として前記スイッチングレギュレータを制御する第２変換制御部と、
を備え、
前記制御部は、
前記変換方式を、前記第１変換制御部による変換方式、および前記第２変換制御部による変換方式のうちの何れかに切替える
ことを特徴とする請求項１から４の何れか一項に記載の電子機器。
【請求項６】
前記動作モードには、前記負荷における複数の動作状態をそれぞれ示す複数の前記動作モードが含まれており、
複数の前記動作モードそれぞれには、前記第１変換制御部による変換方式および前記第２変換制御部による変換方式のうちの何れかの変換方式が対応付けられている
ことを特徴とする請求項５に記載の電子機器。
【請求項７】
複数の前記動作モードそれぞれの前記負荷において消費される電力に基づいて、前記第１変換制御部による変換方式および前記第２変換制御部による変換方式のうちの何れかの変換方式が、複数の前記動作モードそれぞれに対応付けられている
ことを特徴とする請求項５または６に記載の電子機器。
【請求項８】
前記制御部は、
前記負荷において消費される電力が第１の閾値電力より大きい場合、前記変換方式を前記第１変換制御部による変換方式に制御し、
前記負荷において消費される電力が第２の閾値電力より小さい場合、前記変換方式を前記第２変換制御部による変換方式に制御する
ことを特徴とする請求項５から７の何れか一項に記載の電子機器。
【請求項９】
前記第１変換制御部および前記第２変換制御部のうちの何れかにより前記スイッチングレギュレータをスイッチング制御する際のスイッチング周波数を変更する周波数変更部、
を備え、
前記制御部は、
前記負荷において消費される電力の大きさに応じて前記スイッチング周波数を、前記周波数変更部を制御することにより変更する
ことを特徴とする請求項５から８の何れか一項に記載の電子機器。
【請求項１０】
前記制御部は、
前記スイッチング周波数を、前記負荷において消費される電力が大きくなることに応じて高い周波数とする
ことを特徴とする請求項９に記載の電子機器。
【請求項１１】
前記制御部は、
複数の前記動作モードそれぞれに応じて前記スイッチング周波数を、前記周波数変更部を制御することにより変更する
ことを特徴とする請求項９または１０に記載の電子機器。
【請求項１２】
前記スイッチング周波数は、複数の前記動作モードそれぞれに対応付けられている
ことを特徴とする請求項９から１１の何れか一項に記載の電子機器。
【請求項１３】
搭載している電池の温度を検出する電池温度検出部、
を備え、
前記制御部は、
前記電池温度検出部により検出された温度が所定の閾値温度以上であるか否かを判定し、当該検出された温度が前記所定の閾値温度以上であると判定した場合には、前記動作モードが遷移中でないと判定した場合であっても、前記変換方式の切替えを許可する
ことを特徴とする請求項１から１２の何れか一項に記載の電子機器。
【請求項１４】
複数の前記電圧変換部を備え、
前記制御部は、
複数の前記電圧変換部それぞれを制御する
ことを特徴とする請求項１から１３の何れか一項に記載の電子機器。
【請求項１５】
前記動作モードを変更可能な操作部、
を備え、
前記制御部は、
前記操作部が操作されたことに応じて変更される前記動作モードの遷移状態に基づいて、前記変換方式の切替えを制御する
ことを特徴とする請求項１から１４の何れか一項に記載の電子機器。
【請求項１６】
請求項１から１５の何れか一項に記載の電子機器は、撮像装置である
ことを特徴とする撮像装置。
【請求項１７】
前記動作モードは、
静止画像の記録のための撮影処理が行われる静止画記録モード、動画像の記録のための撮影処理が行われる動画記録モード、構図確認用のスルー画像の表示処理が行われるスルー画モード、および記録されている画像の表示処理が行われる再生モードの何れかを含む
ことを特徴とする請求項１６に記載の撮像装置。
【発明の詳細な説明】
【技術分野】
【０００１】
本発明は、電子機器、および撮像装置に関する。
【背景技術】
【０００２】
携帯電話や撮像装置（例えばデジタルカメラ）などのような、搭載された電池から給電を受けて動作する電子機器は、電池の電圧を電子機器内の負荷に供給するための電圧に変換するスイッチングレギュレータなどの電圧変換部を備えている。このスイッチングレギュレータを用いた電圧の変換方式として、給電先の負荷の消費電力が大きい場合にはＰＷＭ（Pulse Width Modulation）方式の制御によりスイッチングレギュレータを駆動する変換方式とし、給電先の負荷の消費電力が低下した場合にはＰＦＭ（Pulse Frequency Modulation）方式の制御によりスイッチングレギュレータを駆動する変換方式とする技術がある。これは、電圧の変換方式を、負荷の消費電力の大きさに応じて高い変換効率の変換方式に切替えるものである（例えば、特許文献１参照）。
【先行技術文献】
【特許文献】
【０００３】
【特許文献１】特開２００６−１５８０３８号公報
【発明の概要】
【発明が解決しようとする課題】
【０００４】
しかしながら、電子機器において、動作中の負荷変動によって電圧の変換方式を切替えた場合には、高い変換効率とすることができる反面、切替えのタイミングでノイズが発生することがある。そして、電子機器の動作状態によっては、このノイズにより不具合が生じる場合があるという問題があった。例えば、撮像装置においては、画像の表示中または記録中に電圧の変換方式を切替えた場合、切替えタイミングで発生したノイズによる不具合として、表示する画像にノイズが生じる、または記録する画像にノイズが生じる場合があるという問題があった。
【０００５】
本発明は、このような事情に鑑みてなされたもので、その目的は、負荷に給電する電圧の変換効率を向上するとともに、ノイズによる不具合を抑制することができる電子機器、および撮像装置を提供することにある。
【課題を解決するための手段】
【０００６】
この発明は上述した課題を解決するためになされたもので、本発明は、入力された電圧を所定の電圧に変換して負荷に給電する電圧変換部と、前記負荷において消費される電力の大きさと、前記負荷の動作モードの遷移状態とに基づいて、前記電圧変換部による変換の変換方式を切替える制御部と、を備えることを特徴とする電子機器である。
【０００７】
また、本発明は、上述の電子機器は、撮像装置であることを特徴とする撮像装置である。
【発明の効果】
【０００８】
この発明によれば、負荷に給電する電圧の変換効率を向上するとともに、ノイズによる不具合を抑制することができる。
【図面の簡単な説明】
【０００９】
【図１】この発明の一実施形態による撮像装置の構成を示す概略ブロック図である。
【図２】電圧変換部および制御部の構成の一例を示す概略ブロック図である。
【図３】電圧変換方式の切替え処理の一例を示すフローチャートである。
【図４】動作モードの変更に応じた電圧変換方式の切替え処理の一例を示すシーケンスチャートである。
【図５】バッテリーの温度に基づく電圧変換方式の切替え処理の一例を示すフローチャートである。
【図６】電圧変換部を複数備えている構成の一例を示す図である。
【発明を実施するための形態】
【００１０】
以下、図面を参照して、本発明の実施の形態について説明する。なお、この実施形態においては、本発明の電子機器として撮像装置を例に説明する。
図１は、この発明の一実施形態による撮像装置１００の構成を示す概略ブロック図である。図１に示すとおり、撮像装置１００は、撮像部１１０と、バッファメモリ部１３０と、記憶部１３５と、画像処理部１４０と、表示部１５０と、記憶媒体制御部１６０と、操作部１７０と、制御部１８０と、電圧変換部１９０と、バッテリー部２００Ｂと、バス３００と、を備えている。
【００１１】
撮像部１１０は、光学系１１１と、撮影素子１２０（撮像素子）と、Ａ／Ｄ変換部１２１とを備えている。また、撮像部１１０は、設定された撮像条件（例えば絞り値、露出値等）に従って制御部１８０の制御により、光学系１１１を介して入射された被写体光束を、撮影素子１２０に結像させて、Ａ／Ｄ変換部１２１によってデジタル信号に変換して画像データを生成する。
【００１２】
光学系１１１は、ズームレンズ１１４と、防振用レンズ（以下、ＶＲ（Vibration Reduction）レンズと称する）１１３と、フォーカスレンズ１１２（焦点調整レンズ）と、ズームエンコーダ１１５と、レンズ駆動部１１６と、ＡＦ（Auto Focus）エンコーダ１１７と、防振駆動部１１８と、を備えている。この光学系１１１は、ズームレンズ１１４、ＶＲレンズ１１３、および、フォーカスレンズ１１２を通過した光束を撮影素子１２０の受光面に導く。
【００１３】
レンズ駆動部１１６は、後述する制御部１８０から入力されるズーム駆動制御信号またはＡＦ駆動制御信号に基づいて、ズームレンズ１１４またはフォーカスレンズ１１２の位置を制御する。防振駆動部１１８は、後述する制御部１８０から入力される防振駆動制御信号に基づいて、ＶＲレンズ１１３の位置を制御する。この防振駆動部１１８は、ＶＲレンズ１１３の位置を検出してもよい。
【００１４】
ズームエンコーダ１１５は、ズームレンズ１１４の位置を表わすズームポジションを検出し、検出したズームポジションを制御部１８０に出力する。ＡＦエンコーダ１１７は、フォーカスレンズ１１２の位置を表わすフォーカスポジションを検出し、検出したフォーカスポジションを制御部１８０に出力する。
【００１５】
なお、上述した光学系１１１は、撮像装置１００に取り付けられて一体とされていてもよいし、撮像装置１００に着脱可能に取り付けられてもよい。
【００１６】
撮影素子１２０は、受光面に結像（受光）した光束を電気信号に変換して、Ａ／Ｄ変換部１２１に出力する。例えば、撮影素子１２０は、ＣＭＯＳ(Complementary Metal Oxide Semiconductor)またはＣＣＤ(Charge Coupled Device)を含んで構成されている。Ａ／Ｄ変換部１２１は、撮影素子１２０によって変換された電気信号をアナログ／デジタル変換し、この変換したデジタル信号である画像データを出力する。
【００１７】
例えば、撮像部１１０は、操作部１７０により静止画の撮影または動画の撮影を行う操作が検出された場合、記録するための（記憶媒体４００に記憶させるための）動画像データまたは静止画像データを生成して出力する。なお、撮像部１１０によって生成された、この記録するための静止画または動画の画像データは、バス３００を介して画像処理部１４０に入力され、画像処理部１４０による処理の後、記憶媒体４００に記録される。また、撮像部１１０は、撮影待機中に連続的に得られる構図確認用の画像データ（スルー画の画像データ）を出力する。
【００１８】
バッファメモリ部１３０は、撮像部１１０によって撮像された画像データ、記憶媒体４００から読み出した画像データ、画像処理部１４０による画像処理の過程で生成される画像データ等を、一時的に記憶する。
【００１９】
記憶部１３５は、制御部１８０によってシーン判定の際に参照される判定条件や、撮影条件等を記憶する。また、記憶部１３５は、撮像装置１００の複数の動作モードと、後述する電圧変換部１９０における電圧の変換方式と、をそれぞれ対応付けて予め記憶している。なお、記憶部１３５は、撮像装置１００の複数の動作モードと、後述する電圧変換部１９０のスイッチングレギュレータ１９１（後述の図２参照）をスイッチング制御する際のスイッチング周波数と、をそれぞれ対応付けて予め記憶してもよい。
【００２０】
画像処理部１４０は、記憶部１３５に記憶されている画像処理条件を参照して、バッファメモリ部１３０、または、記憶媒体４００に記録されている画像データに対して画像処理を実行する。例えば、画像処理部１４０は、デジタル信号に変換された画像データに対してホワイトバランス調整、シャープネス調整、ガンマ補正、階調調整などの画像処理を実行するとともに、ＪＰＥＧ（Joint Photographic Experts Group）などの画像圧縮処理を実行する。
【００２１】
表示部１５０は、例えば液晶ディスプレイであって、撮像部１１０によって得られた画像データや、操作画面（メニュー設定画面）等を表示する。
【００２２】
記憶媒体制御部１６０は、取り外しが可能な記憶媒体４００（カードメモリ等）と接続され、この記憶媒体４００への情報の書込み、読み出し、あるいは消去を行う。記憶媒体４００は、撮像装置１００に対して着脱可能に接続される記憶部であって、例えば、撮像部１１０によって生成された（撮影された）画像データ、撮像部１１０によって生成されて画像処理部１４０による画像処理が実行された画像データなどを記憶する。
【００２３】
操作部１７０は、例えば、電源スイッチ、シャッターボタン、動作モードを選択するモードダイヤル、などを備えており、ユーザによって操作されることでユーザの操作入力を検出し、検出した操作内容を示す操作信号を制御部１８０に出力する。
【００２４】
バッテリー部２００Ｂは、バッテリー２００を収納する。バッテリー２００は、充電可能な２次電池であり、例えばリチウム電池やリチウムイオン電池、ニッケル水素電池などである。なお、バッテリー２００は、２次電池に代えて、１次電池としてもよい。
【００２５】
電圧変換部１９０は、入力された電圧を変換して負荷に給電する。例えば、電圧変換部１９０は、スイッチングレギュレータを含んで構成されており、バッテリー２００から供給された電圧を、撮像装置１００内の各部に供給する電圧に変換する。なお、本実施形態における電圧変換部１９０は、パルス幅変調方式（以下、ＰＷＭ方式）の制御によりスイッチングレギュレータを駆動する変換方式、またはパルス周波数変調方式（以下、ＰＦＭ方式）の制御によりスイッチングレギュレータを駆動する変換方式を用いて電圧を変換することが可能なように構成されている。この電圧変換部１９０の構成について詳しくは、後述する。
【００２６】
制御部１８０は、撮像装置１００の各部を制御する。例えば、制御部１８０は、操作部１７０から受信する操作信号に基づいて、撮像装置１００の動作モードがユーザの操作により設定された動作モードに遷移するように各部を制御する。また、制御部１８０は、操作部１７０からシャッターボタンが押下されたことを示す操作信号を受信した場合、設定された動作モード（静止画撮影モード、動画撮影モードなど）に応じた撮影処理（静止画撮影処理、動画撮影処理など）を実行する。例えば、制御部１８０は、撮影処理の処理シーケンスに従って、撮像装置１００が備えている各部を制御することにより、撮影処理を実行する。
【００２７】
また、制御部１８０は、上述の電圧変換部１９０による変換の変換方式を切替える制御をする。例えば、制御部１８０は、電圧変換部１９０が給電する負荷において消費される電力の大きさと、負荷の動作モードの遷移状態とに基づいて、電圧変換部１９０による変換方式を切替える制御をする。
【００２８】
ここで、上述の負荷とは、撮像装置１００が備えている各部の負荷であって、電圧変換部１９０が給電する各部の負荷である。すなわち、制御部１８０は、電圧変換部１９０が給電する撮像装置１００が備えている各部の負荷において消費される電力の大きさと、撮像装置１００の動作モードの遷移状態とに基づいて、電圧変換部１９０による変換方式を切替える制御をする。
なお、この電圧変換部１９０に対する制御部１８０による制御（電圧変換制御）の処理について詳しくは、後述する。
【００２９】
バス３００は、撮像部１１０と、バッファメモリ部１３０と、記憶部１３５と、画像処理部１４０と、表示部１５０と、記憶媒体制御部１６０と、操作部１７０、制御部１８０と、に接続され、各部から出力されたデータ等を転送する。
【００３０】
（電圧変換部１９０および制御部１８０の構成の詳細）
次に、電圧変換部１９０および制御部１８０の構成の詳細について説明する。
図２は、電圧変換部１９０および制御部１８０の構成の一例を示す概略ブロック図である。この図は、電圧変換部１９０および制御部１８０の電圧変換制御の処理に関する構成の詳細を示しており、その他の処理に関する構成を省略している。なお、図２において図１と対応する各部には同一の符号を付けている。
【００３１】
まず、電圧変換部１９０の構成について説明する。
電圧変換部１９０は、スイッチングレギュレータ１９１を含んで構成されている。例えば、スイッチングレギュレータ１９１は、入力された直流電圧（入力電圧）を、供給先の負荷に応じて出力する直流電圧（出力電圧）に変換するＤＣＤＣコンバータ回路を含んで構成されている。この図に示すように、電圧変換部１９０は、バッテリー２００から供給された入力電圧を、供給先の負荷に応じた出力電圧に変換する。
【００３２】
また、電圧変換部１９０は、電圧の変換方式をＰＷＭ方式（パルス幅変調方式）としてスイッチングレギュレータ１９１を制御するＰＷＭ制御部１９２（第１変換制御部）と、電圧の変換方式をＰＦＭ方式（パルス周波数変調方式）としてスイッチングレギュレータ１９１を制御するＰＦＭ制御部１９３（第２変換制御部）と、周波数変更部１９４と、負荷電流検出部１９５と、を備えている。
【００３３】
ＰＷＭ制御部１９２は、ＰＷＭ方式の制御によりスイッチングレギュレータ１９１を駆動する。ＰＦＭ制御部１９３は、ＰＦＭ方式の制御によりスイッチングレギュレータ１９１を駆動する。
なお、ＰＷＭ方式はＰＦＭ方式に対して、出力電圧のリップル成分を小さくできるとともに、負荷変動に対する応答性能が高いことが利点である。一方、電圧変換部１９０において消費される消費電力は、ＰＦＭ方式の方がＰＷＭ方式に対して小さくする（低く抑える）ことが可能である。ＰＦＭ方式によれば、スイッチングレギュレータ１９１をスイッチング制御する際のスイッチング周波数を低くするほど消費電力が小さくなる。しかし、ＰＦＭ方式においてスイッチング周波数を低くするほど、ＰＷＭ方式に対して出力電圧のリップル成分が大きくなるとともに、負荷変動に対する応答性能が低下する。
【００３４】
上述したＰＷＭ方式とＰＦＭ方式との特性の相違により、供給先の負荷の消費電力（電流）が大きい場合（負荷が大きい場合、高負荷の場合）にはＰＷＭ方式とし、供給先の負荷の消費電力（電流）が小さい場合（負荷が小さい場合、軽負荷の場合）にはＰＦＭ方式とすることが望ましい。
【００３５】
例えば、供給先の負荷の消費電力が小さい場合、電圧変換部１９０と供給先の負荷との合計の消費電力に対して、電圧変換部１９０のスイッチングレギュレータ１９１におけるスイッチングによる損失が支配的になる。そのため、供給先の負荷の消費電力が小さい場合、ＰＷＭ方式とした場合には変換効率が低下する。一方、ＰＦＭ方式とした場合は、スイッチング周波数を低くすることにより、変換効率の低下を抑制することができる。
【００３６】
周波数変更部１９４は、ＰＷＭ制御部１９２およびＰＦＭ制御部１９３のうちの何れかによりスイッチングレギュレータ１９１をスイッチング制御する際のスイッチング周波数を変更する。ＰＷＭ制御部１９２またはＰＦＭ制御部１９３には、発振回路１９８から周波数変更部１９４を介してクロック信号が供給される。例えば、周波数変更部１９４は、発振回路１９８から供給されたクロック信号の周波数を、スイッチングレギュレータ１９１をスイッチング制御する際のスイッチング周波数に変更して、ＰＷＭ制御部１９２またはＰＦＭ制御部１９３に供給する。なお、周波数変更部１９４は、制御部１８０の制御により周波数を変更する。
【００３７】
発振回路１９８は、スイッチングレギュレータ１９１をスイッチング制御する際に用いる基本クロック信号（クロック信号）を発振して生成する。例えば、発振回路１９８は、は、水晶振動子、セラミック振動子などを有している。発振回路１９８は、生成したクロック信号をＰＷＭ制御部１９２またはＰＦＭ制御部１９３に供給する。
【００３８】
負荷電流検出部１９５は、電圧変換部１９０から出力される出力電圧の供給先の負荷で消費される消費電流を検出する。例えば、負荷電流検出部１９５は、供給先の負荷に対して流れる電流を検出する電流検出用抵抗器を含んで構成されている。そして、負荷電流検出部１９５は、検出結果を制御部１８０に供給する。
【００３９】
次に、制御部１８０の構成について説明する。
制御部１８０は、電圧変換部１９０を制御する第１制御部１８１と、第１制御部１８１を制御する第２制御部１８５とを備えており、負荷において消費される電力（電流）の大きさと、負荷の動作モードの遷移状態とに基づいて、電圧変換部１９０による変換の変換方式を切替える。
【００４０】
第１制御部１８１は、変換方式制御部１８２と、周波数制御部１８３と、を備えている。変換方式制御部１８２は、負荷において消費される電力（電流）の大きさに応じて、電圧変換部１９０による変換の変換方式を切替える。例えば、変換方式制御部１８２は、負荷電流検出部１９５による検出結果に基づいて、電圧変換部１９０における変換方式を、ＰＷＭ制御部１９２による変換方式（ＰＷＭ方式）、およびＰＦＭ制御部１９３による変換方式（ＰＦＭ方式）のうちの何れかに切替える。
【００４１】
具体的には、変換方式制御部１８２は、ＰＷＭ制御部１９２による制御およびＰＦＭ制御部１９３による制御のうちの何れかに切替えるための「変換方式切替え信号」をＰＷＭ制御部１９２およびＰＦＭ制御部１９３のそれぞれに送信する。例えば、変換方式制御部１８２は、変換方式をＰＷＭ制御部１９２による制御とする場合には「変換方式切替え信号」をＨ（ハイ）レベルに制御し、変換方式をＰＦＭ制御部１９３による制御とする場合には「変換方式切替え信号」をＬ（ロウ）レベルに制御する。ＰＷＭ制御部１９２は、受信した「変換方式切替え信号」がＨ（ハイ）レベルの場合にアクティブとなり、「変換方式切替え信号」がＬ（ロウ）レベルの場合に非アクティブとなる。ＰＦＭ制御部１９３は、受信した「変換方式切替え信号」がＨ（ハイ）レベルの場合に非アクティブとなり、「変換方式切替え信号」がＬ（ロウ）レベルの場合にアクティブとなる。
【００４２】
一例として、変換方式制御部１８２は、負荷において消費される電力（電流）が第１の閾値電力（電流）より大きい場合、変換方式をＰＷＭ制御部１９２による変換方式に制御する。一方、変換方式制御部１８２は、負荷において消費される電力（電流）が第２の閾値電力（電流）より小さい場合、変換方式をＰＦＭ制御部１９３による変換方式に制御する。
【００４３】
ここで、第１の閾値電力（電流）とは、ＰＷＭ方式とした方が、ＰＦＭ方式に対比して、安定して給電可能であると判定するとともに電圧変換効率が高いと判定するための予め定められた閾値電力（電流）である。また、第２の閾値電力（電流）は、ＰＦＭ方式とした方が、ＰＷＭ方式に対比して、電圧変換効率が高く且つ給電も可能であると判定するための予め定められた閾値電力（電流）である。すなわち、負荷において消費される電力（電流）が第１の閾値電力（電流）より大きい場合、ＰＷＭ制御部１９２による変換方式の方が適した変換方式であって、負荷において消費される電力（電流）が第２の閾値電力（電流）より小さい場合、ＰＦＭ制御部１９３による変換方式の方が適した変換方式である。
なお、変換方式の切替え制御の際にハンチングが発生することを防止するために、変換方式の切替え制御はヒステリシス制御としてもよい。すなわち、第１の閾値電力（電流）は、第２の閾値電力（電流）よりも所定の電力（電流）分高く設定されていてもよい。
【００４４】
なお、変換方式制御部１８２は、負荷電流検出部１９５による検出結果から負荷において消費される電流（負荷の消費電流）を取得し、取得した消費電流に基づいて上述の変換方式を切替える制御をしてもよい。また、変換方式制御部１８２は、取得した負荷の消費電流と出力電圧とに基づいて算出した負荷において消費される電力（負荷の消費電力）に基づいて上述の変換方式を切替える制御をしてもよい。すなわち、変換方式制御部１８２が負荷の消費電流に応じて変換方式を切替え制御する場合と、負荷の消費電力に応じに応じて変換方式を切替え制御する場合とは同様の制御である。よって、変換方式制御部１８２は、負荷の消費電流と負荷の消費電力との何れに応じて制御してもよい。
【００４５】
周波数制御部１８３は、周波数変更部１９４を制御することにより電圧変換部１９０のスイッチングレギュレータ１９１のスイッチング周波数を変更する。例えば、周波数制御部１８３は、負荷において消費される電力（電流）の大きさに応じて、スイッチング周波数を変更する。具体的には、周波数制御部１８３は、スイッチング周波数を、負荷において消費される電力（電流）が大きくなることに応じて高い周波数とする。一方、周波数制御部１８３は、スイッチング周波数を、負荷において消費される電力（電流）が小さくなることに応じて低い周波数とする。
【００４６】
第２制御部１８５は、動作モード判定部１８６と、設定情報取得部１８７と、第１制御部コントロール部１８８と、を備えている。例えば、第２制御部１８５は、撮像装置１００（負荷）の動作モードの遷移状態として、動作モードが第１動作モードから第１動作モードとは異なる第２動作モードに遷移中であるか否かを判定する。そして、第２制御部１８５は、この判定した結果に基づいて、第１制御部１８１による変換方式の切替えを制御する。
【００４７】
例えば、第２制御部１８５は、操作部１７０が操作されことに応じて変更される動作モードの遷移状態に基づいて、第１制御部１８１による変換方式の切替えを制御する。また、第２制御部１８５は、撮像装置１００（負荷）の動作モードの遷移状態が遷移中であるか否かに基づいて、第１制御部１８１による変換方式の切替えを許可、または禁止する。
【００４８】
ここで、上述の動作モード（第１動作モード、第２動作モード）とは、撮像装置１００（負荷）における複数の動作状態をそれぞれ示す複数の動作モードであって、操作部１７０により検出された操作信号に応じて変更される動作モードである。なお、第１動作モードおよび第２動作モードは、撮像装置１００の複数の動作モードのうちの何れの動作モードであってもよい。つまり、上述の動作モードとは、操作部１７０が操作されたことに応じて変更される動作モードであって、例えば、ユーザの操作によって、操作部１７０のモードダイヤルが変更されて設定される動作モード、シャッターボタンの押下操作によって処理が開始される動作モードなどである。
【００４９】
具体的な例としては、動作モードとは、モードダイヤルが変更されて設定される、構図確認用のスルー画像の表示処理が行われる「スルー画モード」（静止画撮影モードにおける構図確認用の「スルー画モード」、動画撮影モードにおける構図確認用の「スルー画モード」など）、記録されている画像の表示処理が行われる「再生モード」、表示部１５０に表示されたメニュー画面から撮像装置１００の設定の変更が可能な「メニュー設定モード」、などである。また、例えば動作モードとは、シャッターボタンの押下操作によって処理が開始される、静止画像の記録のための撮影処理が行われる「静止画記録モード」、動画像の記録のための撮影処理が行われる「動画記録モード」、などである。
【００５０】
動作モード判定部１８６は、撮像装置１００（負荷）の動作モードの遷移状態が遷移中であるか否かを判定する。また、動作モード判定部１８６は、遷移後の動作モードが何れの動作モードであるかを判定する。例えば、動作モード判定部１８６は、ユーザの操作によって動作モードが変更されたことを操作部１７０からの検出信号により検出する。これにより、動作モード判定部１８６は、遷移後の動作モードを示す情報を取得する。また、動作モード判定部１８６は、動作モードが変更されたことに応じて制御部１８０が実行する遷移処理の進行状況を検出することにより、動作モードの遷移状態が遷移中であるか否かを判定する。
【００５１】
設定情報取得部１８７は、撮像装置１００（負荷）の複数の動作モードそれぞれに対応付けられている電圧変換部１９０の変換方式、またはスイッチング周波数を取得する。
ここで、複数の動作モードそれぞれには、第１の設定情報として、ＰＷＭ制御部１９２による変換方式およびＰＦＭ制御部１９３による変換方式のうちの何れかの変換方式が対応付けられている。なお、複数の動作モードそれぞれの負荷において消費される電力に基づいて、ＰＷＭ制御部１９２による変換方式およびＰＦＭ制御部１９３による変換方式のうちの何れかの変換方式が、複数の動作モードそれぞれに対応付けられていてもよい。また、複数の動作モードそれぞれには、第２の設定情報として、スイッチングレギュレータ１９１をスイッチング制御する際のスイッチング周波数が対応付けられていてもよい。これら第１の設定情報または第２の設定情報は、例えば、記憶部１３５に記憶されている。
そして、設定情報取得部１８７は、記憶部１３５から第１の設定情報または第２の設定情報を読み出すことにより、動作モードそれぞれに対応付けられている電圧変換部１９０の変換方式、またはスイッチング周波数を取得する。
【００５２】
第１制御部コントロール部１８８は、動作モード判定部１８６の判定結果に基づいて、第１制御部による変換方式の切替えを制御する。例えば、第１制御部コントロール部１８８は、操作部１７０が操作されたことに応じて変更される動作モードの遷移状態に基づいて、変換方式の切替えを制御する。つまり、第１制御部コントロール部１８８は、撮像装置１００（負荷）の動作モードの遷移状態が遷移中であるか否かに基づいて、第１制御部１８１の変換方式制御部１８２が制御する電圧変換部１９０における変換方式の切替え（変換方式制御部１８２による変換方式の切替え）を制御する。
【００５３】
例えば、第１制御部コントロール部１８８は、動作モード判定部１８６により動作モードが遷移中でない（非遷移中である）と判定された場合、変換方式制御部１８２による変換方式の切替えを禁止する。一方、第１制御部コントロール部１８８は、動作モード判定部１８６により動作モードの遷移状態が遷移中であると判定された場合、変換方式制御部１８２による変換方式の切替えを許可する。
【００５４】
具体的には、第１制御部コントロール部１８８は、電圧変換部１９０における変換方式の切替え処理の許可または禁止を通知する「切替え許可信号」を変換方式制御部１８２に送信する。例えば、第１制御部コントロール部１８８は、変換方式の切替えを禁止する場合には、「切替え許可信号」をＬ（ロウ）レベルに制御し、変換方式の切替えを許可する場合には、「切替え許可信号」をＨ（ハイ）レベルに制御する。
【００５５】
なお、第１制御部コントロール部１８８は、動作モード判定部１８６により動作モードが遷移中であると判定された場合、変換方式制御部１８２を制御することにより、遷移後の動作モードに対応付けられている変換方式に切替える制御をしてもよい。例えば、第１制御部コントロール部１８８は、設定情報取得部１８７が取得した、複数の動作モードそれぞれに対応付けられている変換方式に基づいて、遷移後の動作モードに対応付けられている変換方式に切替えてもよい。ここで、第１制御部コントロール部１８８は、変換方式制御部１８２を制御することにより、ＰＷＭ制御部１９２による変換方式およびＰＦＭ制御部１９３による変換方式のうちの何れかに、変換方式を切替える。
【００５６】
また、第１制御部コントロール部１８８は、複数の動作モードそれぞれに応じて、スイッチングレギュレータ１９１をスイッチング制御する際のスイッチング周波数を、周波数制御部１８３を介して周波数変更部１９４を制御することにより変更する制御をしてもよい。例えば、第１制御部コントロール部１８８は、設定情報取得部１８７が取得した、複数の動作モードそれぞれに対応付けられているスイッチング周波数に基づいて、遷移後の動作モードに対応付けられているスイッチング周波数に変更してもよい。
【００５７】
なお、第１制御部コントロール部１８８は、スイッチング周波数を、負荷において消費される電力が大きくなることに応じて高い周波数としてもよい。例えば、第１制御部コントロール部１８８は、動作モード判定部１８６により動作モードが遷移中でないと判定された場合に、周波数制御部１８３を介して周波数変更部１９４を制御することにより、負荷において消費される電力が大きくなることに応じて高いスイッチング周波数としてもよい。
【００５８】
さらに、第１制御部コントロール部１８８は、バッテリー２００の温度に基づいて、変換方式制御部１８２による変換方式の切替えを制御してもよい。例えば、撮像装置１００にはバッテリー２００の温度を検出する電池温度検出部１８９が備えられており、第１制御部コントロール部１８８は、電池温度検出部１８９の検出結果に基づいて、変換方式制御部１８２による変換方式の切替えを制御してもよい。なお、電池温度検出部１８９は、例えば、バッテリー２００の近傍に設けられたサーミスタなどを含んで構成されており、バッテリー２００の周囲温度を検出して、検出結果を制御部１８０に送信する。
【００５９】
次に、本実施形態の電圧変換制御における電圧変換方式（電圧変換部１９０による変換の変換方式）の切替え処理の動作について説明する。
図３は、電圧変換方式の切替え処理の一例を示すフローチャートである。
【００６０】
まず、動作モード判定部１８６は、撮像装置１００（負荷）の動作モードの遷移状態を検出する（ステップＳ２１）。そして、動作モード判定部１８６は、撮像装置１００（負荷）の動作モードの遷移状態が遷移中であるか否かを判定する（ステップＳ２２）。
【００６１】
ステップＳ２２において、動作モード判定部１８６が動作モードの遷移状態が遷移中でない（非遷移中である）と判定した場合、第１制御部コントロール部１８８は、変換方式制御部１８２による変換方式の切替え処理を禁止する（ステップＳ２４）。例えば、第１制御部コントロール部１８８は、「切替え許可信号」をＬ（ロウ）レベルに制御する。そして、制御部１８０はステップＳ３１に処理を進める。
【００６２】
一方、ステップＳ２２において、動作モード判定部１８６が動作モードの遷移状態が遷移中であると判定した場合、第１制御部コントロール部１８８は、変換方式制御部１８２による変換方式の切替え処理を許可する（ステップＳ２３）。例えば、第１制御部コントロール部１８８は、「切替え許可信号」をＨ（ハイ）レベルに制御する。
【００６３】
続いて、変換方式制御部１８２は、電圧変換部１９０の負荷電流検出部１９５が検出した負荷の消費電流を取得して、取得した検出結果に基づいて負荷の消費電力を検出する（ステップＳ２５）。変換方式制御部１８２は、この取得した負荷の消費電力に基づいて変換方式の切替え処理を実行するが、現在の変換方式がＰＷＭ方式およびＰＦＭ方式のうちの何れであるかによって、処理内容が異なる。そのため、次に、変換方式制御部１８２は、現在の変換方式がＰＷＭ方式であるか否か（ＰＷＭ方式およびＰＦＭ方式のうちの何れであるか）を判定する（ステップＳ２６）。
【００６４】
ステップＳ２６において現在の変換方式がＰＷＭ方式であると判定された場合、変換方式制御部１８２は、ステップＳ２５において検出した負荷の消費電力が第２の閾値電力未満であるか否かを判定する（ステップＳ２７）。ステップＳ２７において、負荷の消費電力が第２の閾値電力未満であると判定された場合、変換方式制御部１８２は、変換方式をＰＷＭ方式による変換方式からＰＦＭ方式による変換方式に切替える（ステップＳ２８）。例えば、変換方式制御部１８２は、「変換方式切替え信号」をＨ（ハイ）レベルからＬ（ロウ）レベルに変更する。
【００６５】
また、ステップＳ２７において、負荷の消費電力が第２の閾値電力以上であると判定された場合、変換方式制御部１８２は、変換方式をＰＷＭ方式による変換方式のまま継続する。例えば、変換方式制御部１８２は、「変換方式切替え信号」を、継続してＨ（ハイ）レベルとする。そして、制御部１８０は、ステップＳ３１に処理を進める。
【００６６】
一方、ステップＳ２６において現在の変換方式がＰＦＭ方式であると判定された場合、変換方式制御部１８２は、ステップＳ２５において検出した負荷の消費電力が第１の閾値電力より大きいか否かを判定する（ステップＳ２９）。ステップＳ２９において、負荷の消費電力が第１の閾値電力より大きいと判定された場合、変換方式制御部１８２は、変換方式をＰＦＭ方式による変換方式からＰＷＭ方式による変換方式に切替える（ステップＳ３０）。例えば、変換方式制御部１８２は、「変換方式切替え信号」をＬ（ロウ）レベルからＨ（ハイ）レベルに変更する。
【００６７】
また、ステップＳ２７において、負荷の消費電力が第１の閾値電力以下であると判定された場合、変換方式制御部１８２は、変換方式をＰＦＭ方式による変換方式のまま継続する。例えば、変換方式制御部１８２は、「変換方式切替え信号」を、継続してＬ（ロウ）レベルとする。そして、制御部１８０は、ステップＳ３１に処理を進める。
【００６８】
ステップＳ３１において、動作モード判定部１８６は、操作部１７０から受信する操作信号に基づいて、操作部１７０の電源スイッチがオフされたか否かを判定する（ステップＳ３１）。ステップＳ３１において、電源スイッチがオフされていない（オンのまま）と判定された場合、動作モード判定部１８６は、ステップＳ２１に処理を戻し、動作モードの遷移状態を検出する。一方、ステップＳ３１において、電源スイッチがオフされたと判定された場合、動作モード判定部１８６は、電圧変換方式の切替え処理を終了する。
【００６９】
このように、制御部１８０は、負荷において消費される電力の大きさと、負荷の動作モードの遷移状態とに基づいて、電圧変換部１９０による変換の変換方式を切替える制御をする。例えば、制御部１８０は、負荷において消費される電力の大きさに基づいて、変換方式をＰＷＭ方式またはＰＦＭ方式に切替えるとともに、負荷の動作モードの遷移状態が非遷移中の場合には、この変換方式の切替えを禁止する。また、制御部１８０は、負荷の動作モードの遷移状態が遷移中の場合には、この変換方式の切替えを許可する。
【００７０】
これにより、撮像装置１００は、動作モードが変更されることに応じて変化する負荷の消費電力の大きさに基づいて、電圧変換効率のよい変換方式に切替えることができる。さらに、撮像装置１００は、変換方式の切替えを動作モードの遷移中のみ許可するため、所定の動作モードで動作している状態においては、変換方式の切り替えのタイミングで生じるノイズによる不具合を防止することができる。
【００７１】
次に、撮像装置１００の動作モードの変更に応じた電圧変換方式の切替え処理の動作について詳しく説明する。
図４は、動作モードの変更に応じた電圧変換方式の切替え処理の一例を示すシーケンスチャートである。図４では、ユーザの操作によって、撮像装置１００の動作モードが、「再生モード」、「スルー画モード」、「動画記録モード」、「スルー画モード」の順に変更された場合の処理を示している。なお、この図に示す「スルー画モード」は、動画撮影モードにおける構図確認用の「スルー画モード」である。
【００７２】
また、この図の横軸は時刻（ｔ）であり、縦軸の符号（ａ）〜（ｈ）のそれぞれの項目は、以下に示す内容である。
（ａ）ユーザに操作された操作部１７０のモードダイヤルの設定。
（ｂ）ユーザに操作された操作部１７０のシャッターボタンのオンの状態（押下された状態、「シャッター操作信号」：Ｌ（ロウ）レベル）またはオフの状態（押下されていない状態、「シャッター操作信号」：Ｈ（ハイ）レベル）
（ｃ）モードダイヤルの設定またはシャッターボタンのオンまたはオフの状態に応じて遷移する、撮像装置１００（負荷）の動作モード。
（ｄ）撮像装置１００（負荷）の動作モードの遷移状態。
（ｅ）第１制御部コントロール部１８８から変換方式制御部１８２に対して、電圧変換部１９０における変換方式の切替え処理の許可または禁止を通知する「切替え許可信号」（Ｈ（ハイ）レベル：許可、Ｌ（ロウ）レベル：禁止）。
（ｆ）負荷で消費される電力Ｐ（Ｗ）。
（ｇ）変換方式制御部１８２から電圧変換部１９０に送信する「変換方式切替え信号」（Ｈ（ハイ）レベル：ＰＷＭ方式、Ｌ（ロウ）レベル：ＰＦＭ方式）。
（ｈ）「変換方式切替え信号」に応じて、電圧変換部１９０において切替えられた（設定された）変換方式（ＰＷＭ方式、またはＰＦＭ方式）。
【００７３】
時刻ｔ０において、操作部１７０のモードダイヤル（ａ）は、「再生モード」の位置に設定されている。これにより、撮像装置１００は、動作モード（ｃ）を「再生モード」に制御して動作している。また、動作モード判定部１８６は、現在の動作モードが「再生モード」であると判定するとともに、動作モードの遷移状態（ｄ）が非遷移中であると判定する。第１制御部コントロール部１８８は、動作モード判定部１８６により動作モードが非遷移中であると判定されたことにより、変換方式の切替え処理を禁止する。例えば、第１制御部コントロール部１８８は、「切替え許可信号」（ｅ）をＬ（ロウ）レベルに制御する。また、「再生モード」における負荷の消費電力（ｆ）は、第１の閾値電力（Ｖｔｈ１）以下であり、変換方式としてＰＦＭ方式が設定される電力である。よって、変換方式制御部１８２は、負荷の消費電力が第１の閾値電力（Ｖｔｈ１）以下であると判定して、「変換方式切替え信号」（ｇ）を、Ｌ（ロウ）レベルに制御する。これにより、電圧変換部１９０においては、ＰＦＭ制御部１９３がＰＦＭ方式の制御によりスイッチングレギュレータ１９１を駆動する（ｈ）。
【００７４】
次に、時刻ｔ１において、ユーザの操作によりモードダイヤル（ａ）が「再生モード」から「スルー画モード」（動画撮影モード）に変更される。この動作モードの変更に応じて、撮像装置１００の動作モード（ｃ）は、時刻ｔ２〜ｔ３において、「再生モード」から「スルー画モード」に遷移する。また、動作モード判定部１８６は、遷移後の動作モードが「スルー画モード」であると判定するとともに、時刻ｔ２において動作モードの遷移状態（ｄ）が遷移中であると判定する。第１制御部コントロール部１８８は、動作モード判定部１８６により動作モードが遷移中であると判定されたことに応じて、変換方式の切替え処理を許可する。例えば、第１制御部コントロール部１８８は、「切替え許可信号」（ｅ）をＨ（ハイ）レベルに制御する。
【００７５】
また、時刻ｔ２〜ｔ３において「再生モード」から「スルー画モード」に遷移することにより、負荷の消費電力（ｆ）は増加する。しかし、「スルー画モード」における負荷の消費電力は、第１の閾値電力（Ｖｔｈ１）以下であり、変換方式としてＰＦＭ方式が設定される電力である。よって、変換方式制御部１８２は、「変換方式切替え信号」（ｇ）を、継続してＬ（ロウ）レベルに制御する。これにより、電圧変換部１９０においては、継続してＰＦＭ制御部１９３がＰＦＭ方式の制御によりスイッチングレギュレータ１９１を駆動する（ｈ）。
【００７６】
また、時刻ｔ３において「再生モード」から「スルー画モード」への遷移が完了することに応じて、動作モード判定部１８６は、動作モードの遷移状態（ｄ）が非遷移中であると判定する。第１制御部コントロール部１８８は、動作モード判定部１８６により動作モードが非遷移中であると判定されたことに応じて、変換方式の切替え処理を禁止する。例えば、第１制御部コントロール部１８８は、「切替え許可信号」（ｅ）をＬ（ロウ）レベルに制御する。
【００７７】
次に、時刻ｔ４において、ユーザの操作によりシャッターボタン（ｂ）が押下される（「シャッター操作信号」：Ｌ（ロウ）レベル）。これにより、撮像装置１００の動作モード（ｃ）は、時刻ｔ４〜ｔ６において、「スルー画モード」から「動画記録モード」に遷移する（動画記録を開始する）。また、動作モード判定部１８６は、遷移後の動作モードが「動画記録モード」であると判定するとともに、時刻ｔ４において動作モードの遷移状態（ｄ）が遷移中であると判定する。第１制御部コントロール部１８８は、動作モード判定部１８６により動作モードが遷移中であると判定されたことに応じて、変換方式の切替え処理を許可する。例えば、第１制御部コントロール部１８８は、「切替え許可信号」（ｅ）をＨ（ハイ）レベルに制御する。
【００７８】
また、時刻ｔ４〜ｔ６において「スルー画モード」から「動画記録モード」に遷移することにより、負荷の消費電力（ｆ）は増加する。ここで、時刻ｔ５において、負荷の消費電力（ｆ）が、第１の閾値電力（Ｖｔｈ１）より大きくなる（符号Ｐ１のポイント）。よって、変換方式制御部１８２は、時刻ｔ５において負荷の消費電力が第１の閾値電力（Ｖｔｈ１）より大きいと判定することにより、「変換方式切替え信号」（ｇ）を、Ｈ（ハイ）レベルに制御する。すなわち、変換方式制御部１８２は、ＰＦＭ制御部１９３による制御からＰＷＭ制御部１９２による制御に切替える。これにより、電圧変換部１９０においては、ＰＷＭ制御部１９２がＰＷＭ方式の制御によりスイッチングレギュレータ１９１を駆動する（ｈ）。
【００７９】
続いて、時刻ｔ６において「スルー画モード」から「動画記録モード」への遷移が完了することに応じて、動作モード判定部１８６は、動作モードの遷移状態（ｄ）が非遷移中であると判定する。第１制御部コントロール部１８８は、動作モード判定部１８６により動作モードが非遷移中であると判定されたことに応じて、変換方式の切替え処理を禁止する。例えば、第１制御部コントロール部１８８は、「切替え許可信号」（ｅ）をＬ（ロウ）レベルに制御する。
【００８０】
ここで、時刻ｔ６〜ｔ９において、撮像装置１００の動作モードは、「動画記録モード」であり、電圧変換方式はＰＷＭ方式である。この時刻ｔ６〜ｔ９の期間のうち、時刻ｔ７と時刻ｔ８とにおいて、負荷変動により負荷の消費電力が第２の閾値電圧（Ｖｔｈ２）未満となっている（符号Ｐ２、Ｐ３のポイント）。しかし、第１制御部コントロール部１８８は、「切替え許可信号」（ｅ）をＬ（ロウ）レベルに制御することにより、変換方式の切替え処理を禁止している。そのため、変換方式制御部１８２は、「変換方式切替え信号」（ｇ）を、継続してＨ（ハイ）レベルに制御する。これにより、電圧変換部１９０においては、継続してＰＷＭ制御部１９２がＰＷＭ方式の制御によりスイッチングレギュレータ１９１を駆動する（ｈ）。
【００８１】
なお、上述の「動画記録モード」において負荷変動により負荷の消費電力が減少しているのは、例えば、動画撮影している被写体の明るさやコントラストによって負荷で実行される処理量に差が生じることなどによるものである。たとえば、コントラストが低い被写体（白トビまたは黒つぶれなどのように明暗の差が少ない被写体）の場合、コントラストが高い被写体に対比して、撮影素子１２０において消費される電力が低くなることにより、負荷の消費電力が低くなる場合がある。さらに、画像処理部１４０で処理されるデータ量が少ないことにより、負荷の消費電力が低くなる場合がある。
【００８２】
次に、時刻ｔ９において、ユーザの操作によりシャッターボタン（ｂ）が、再び押下される（「シャッター操作信号」：Ｌ（ロウ）レベル）。これにより、撮像装置１００の動作モード（ｃ）は、時刻ｔ９〜ｔ１１において、「動画記録モード」から「スルー画モード」に遷移する（動画記録を終了してスルー画表示に切替わる）。また、動作モード判定部１８６は、遷移後の動作モードが「スルー画モード」であると判定するとともに、時刻ｔ９において動作モードの遷移状態（ｄ）が遷移中であると判定する。第１制御部コントロール部１８８は、動作モード判定部１８６により動作モードが遷移中であると判定されたことに応じて、変換方式の切替え処理を許可する。例えば、第１制御部コントロール部１８８は、「切替え許可信号」（ｅ）をＨ（ハイ）レベルに制御する。
【００８３】
また、時刻ｔ９〜ｔ１１において「動画記録モード」から「スルー画モード」に遷移することにより、負荷の消費電力（ｆ）は減少する。ここで、時刻ｔ１０において、負荷の消費電力（ｆ）が、第２の閾値電力（Ｖｔｈ２）未満となる（符号Ｐ４のポイント）。よって、変換方式制御部１８２は、時刻ｔ１０において負荷の消費電力が第２の閾値電力（Ｖｔｈ２）未満であると判定することにより、「変換方式切替え信号」（ｇ）を、Ｌ（ロウ）レベルに制御する。すなわち、変換方式制御部１８２は、ＰＷＭ制御部１９２による制御からＰＦＭ制御部１９３による制御に切替える。これにより、電圧変換部１９０においては、ＰＦＭ制御部１９３がＰＦＭ方式の制御によりスイッチングレギュレータ１９１を駆動する（ｈ）。
【００８４】
続いて、時刻ｔ１１において「動画記録モード」から「スルー画モード」への遷移が完了することに応じて、動作モード判定部１８６は、動作モードの遷移状態（ｄ）が非遷移中であると判定する。第１制御部コントロール部１８８は、動作モード判定部１８６により動作モードが非遷移中であると判定されたことに応じて、変換方式の切替え処理を禁止する。例えば、第１制御部コントロール部１８８は、「切替え許可信号」（ｅ）をＬ（ロウ）レベルに制御する。
【００８５】
ここで、時刻ｔ１１以降において、撮像装置１００の動作モードは、「スルー画モード」であり、電圧変換方式はＰＦＭ方式である。この時刻ｔ１１以降の時刻ｔ１２において、負荷変動により負荷の消費電力が第１の閾値電圧より大きくなっている（符号Ｐ５のポイント）。しかし、第１制御部コントロール部１８８は、「切替え許可信号」（ｅ）をＬ（ロウ）レベルに制御することにより、変換方式の切替え処理を禁止している。そのため、変換方式制御部１８２は、「変換方式切替え信号」（ｇ）を、継続してＬ（ロウ）レベルに制御する。これにより、電圧変換部１９０においては、継続してＰＦＭ制御部１９３がＰＦＭ方式の制御によりスイッチングレギュレータ１９１を駆動する（ｈ）。
【００８６】
なお、上述の「スルー画モード」において負荷変動により負荷の消費電力が増加しているのは、例えば、ズームレンズ１１４やフォーカスレンズ１１２の駆動による負荷の増加によって生じるものである。
【００８７】
また、この時刻ｔ１２において、負荷の消費電力が増加していることにより、ＰＦＭ方式では安定して給電できない可能性がある。そのため、第１制御部コントロール部１８８は、ＰＦＭ制御部１９３がスイッチングレギュレータ１９１のスイッチングを制御する際のスイッチング周波数を、負荷において消費される電力が大きくなることに応じて高い周波数に制御してもよい。これにより、ＰＦＭ方式からＰＷＭ方式への切替えを禁止している場合において負荷変動により負荷の消費電力が増加した場合、電圧変換部１９０は、負荷に対して供給する出力電圧の供給可能な電力を増加させて、負荷に対して安定して給電することができる。
【００８８】
なお、動作モードが遷移中の期間に、変換方式制御部１８２が、負荷の消費電力に応じて、「変換方式切替え信号」制御する例を説明したが、これに限られるものではない。動作モードが遷移中の期間に、第１制御部コントロール部１８８は、動作モード判定部１８６が判定した遷移後の動作モードに基づいて、複数の動作モードそれぞれに対応付けられている変換方式のうち、遷移後の動作モードに対応付けられている変換方式に切替えてもよい。さらに、第１制御部コントロール部１８８は、複数の動作モードそれぞれに対応付けられているスイッチング周波数のうち、遷移後の動作モードに対応付けられているスイッチング周波数に変更してもよい。
【００８９】
このように、撮像装置１００は、動作モードを変更する場合、動作モードの遷移中において、負荷の消費電力（電流）に応じて電圧変換部１９０における変換方式を切替える。なお、撮像装置１００は、動作モードを変更する場合、動作モードの遷移中において、遷移後の動作モードに対応付けられている変換方式に切替えることも可能である。また、撮像装置１００は、動作モードが非遷移中の場合、負荷の消費電力（電流）に応じた電圧の変換方式の切替えを禁止する。さらに、撮像装置１００は、動作モードが非遷移中であることにより変換方式の切替えを禁止している場合に、負荷の消費電力に応じて、電圧変換部１９０におけるスイッチング周波数を変更することも可能である。
【００９０】
これにより、撮像装置１００は、電圧変換部１９０における変換方式を、各動作モードにおける負荷の消費電力（電流）に応じて適切に切替えることができる。また、撮像装置１００は、動作モードが非遷移中の場合、電圧変換部１９０における変換方式の切替えを禁止するため、切替えのタイミングで生じるノイズが表示画像または記録画像に影響することを防止できる。さらに、撮像装置１００は、電圧変換方式の切替えを禁止している際に負荷の消費電力（電流）が変動した場合には、スイッチング周波数を変更することにより、電圧変換効率の向上や給電の安定化が可能である。
【００９１】
なお、図４を用いて、電圧変換部１９０における変換方式を、「再生モード」および「スルー画モード」の場合にはＰＦＭ方式とし、「動画記録モード」の場合にはＰＷＭ方式とする例を説明したが、これに限られるものではない。電圧変換部１９０における変換方式は、各動作モードにおける負荷の消費電力（電流）に応じて定められるものであって、例えば、「再生モード」の場合にはＰＦＭ方式として定められ、「スルー画モード」および「動画記録モード」の場合にはＰＷＭ方式として定められてもよい。
【００９２】
また、図４の「再生モード」に代えて「メニュー設定モード」としてもよいし、図４の「動画記録モード」に代えて「静止画記録モード」としてもよい。そして、ユーザの操作によって、撮像装置１００の動作モードが、「メニュー設定モード」、「スルー画モード」、「静止画記録モード」、「スルー画モード」の順に動作モードが変更された場合、撮像装置１００は、図４に示す処理と同様の処理を実行してもよい。
【００９３】
次に、バッテリー２００の温度に基づいて、図３を用いて説明した電圧変換方式の切替え処理を変更する場合の処理の動作について説明する。
図５は、バッテリー２００の温度に基づく電圧変換方式の切替え処理の一例を示すフローチャートである。なお、図５において図３と対応する各処理には同一の符号を付けており、その説明を省略する。
【００９４】
この図に示す電圧変換方式の切替え処理は、以下の点が図３に示す処理と相違する。
制御部１８０は、電池温度検出部１８９により検出された温度が所定の閾値温度以上であるか否かを判定する。そして、制御部１８０は、電池温度検出部１８９により検出された温度が所定の閾値温度以上であると判定した場合には、動作モードが遷移中でないと判定した場合であっても、変換方式の切替えを許可する処理を実行する（すなわち、図３を用いて説明した電圧変換方式の切替え処理を変更する）。
【００９５】
ここで、所定の閾値温度とは、動作モードの遷移状態によらず、負荷の消費電力の大きさに基づいて電圧変換方式の切替え処理を許可するか否かを判定するために予め定めたバッテリー２００の閾値温度である。例えば、バッテリー２００の温度が、この所定の閾値温度以上になった場合、すなわち、これ以上温度を上げないためになるべく省電力で動作させたい場合、制御部１８０は、ノイズよりも電圧変換効率を優先して電圧変換方式の切替え処理を許可する制御をする。
【００９６】
以下、図５を参照してこの処理の動作について説明する。
まず、第１制御部コントロール部１８８は、電池温度検出部１８９の検出結果に基づいて、バッテリー２００の温度（例えば、バッテリー２００の周囲温度）を検出する（ステップＳ１１）。次に、第１制御部コントロール部１８８は、電池温度検出部１８９により検出されたバッテリー２００の温度が所定の閾値温度以上であるか否かを判定する（ステップＳ１２）。
【００９７】
ステップＳ１２において、バッテリー２００の温度が所定の閾値温度未満であると判定された場合、第１制御部コントロール部１８８は、ステップＳ２１に処理を進める。そして、ステップＳ２１以降の処理は、図３に示す処理と同様の処理である。すなわち、バッテリー２００の温度が所定の閾値温度未満である場合の電圧変換方式の切替え処理は、図３に示す処理と同様の処理である。
【００９８】
一方、ステップＳ１２において、バッテリー２００の温度が所定の閾値温度以上であると判定された場合、第１制御部コントロール部１８８は、ステップＳ２３に処理を進める。そして、ステップＳ２３以降の処理は、図３に示す処理と同様の処理である。すなわち、バッテリー２００の温度が所定の閾値温度以上である場合の電圧変換方式の切替え処理は、動作モードの遷移状態によらず、負荷の消費電力の大きさに基づいて電圧変換部１９０による変換の変換方式を切替える処理である。
【００９９】
このように、制御部１８０は、バッテリー２００の温度が所定の閾値温度以上であると判定した場合には、動作モードが遷移中でない（非遷移中である）と判定した場合であっても、変換方式の切替えを許可するように制御する。
これにより、撮像装置１００は、バッテリー２００の温度が上昇した場合、動作モードが非遷移中であっても、電圧変換方式の切替え処理を許可することにより、さらに温度が上昇してしまうことを抑制することができる。すなわち、撮像装置１００は、バッテリー２００の温度が上昇した場合に、バッテリー２００を保護する制御に切替えることができる。
【０１００】
以上説明したように、本実施形態の撮像装置１００は、撮像装置１００（負荷）において消費される電力（電流）の大きさと、撮像装置１００（負荷）の動作モードの遷移状態とに基づいて、電圧変換部１９０による変換の変換方式の切替えを制御する。
これにより、撮像装置１００は、負荷に給電する電圧の変換効率を向上することができる。また、撮像装置１００は、電圧変換部１９０における変換の変換方式の切替えタイミングを、動作モードの遷移状態に基づいて制御することができる。よって、本実施形態によれば、負荷に給電する電圧の変換効率を向上するとともに、撮像装置１００が所定の動作モードで動作している状態において、変換方式の切替えタイミングで発生するノイズによる不具合が生じないように制御することができる。
よって、本実施形態によれば、負荷に給電する電圧の変換効率を向上するとともに、ノイズによる不具合を抑制することができる。
【０１０１】
なお、撮像装置１００は、動作モードの遷移状態が遷移中であるか否かに基づいて、電圧変換部１９０における変換の変換方式の切替えを制御する。これにより、撮像装置１００は、動作モードの遷移状態が遷移中であるか否かに基づいて、撮像装置１００が所定の動作モードで動作している状態において、変換方式の切替えタイミングで発生するノイズによる不具合が生じないように制御することができる。
【０１０２】
具体的には、撮像装置１００の制御部１８０は、動作モードが遷移中でない（非遷移中）と判定した場合、電圧変換部１９０による変換の変換方式の切替えを禁止し、動作モードの遷移状態が遷移中であると判定した場合、変換方式の切替えを許可する。これにより、撮像装置１００は、動作モードが遷移中でない非遷移中の場合（所定の動作モードで動作している状態）、変換方式の切替えタイミングで発生するノイズによる不具合を防止することができる。すなわち、撮像装置１００は、変換方式の切替えを動作モードの遷移中のみ許可するため、所定の動作モードで動作している状態（非遷移中）においては、変換方式の切替えのタイミングで生じるノイズによる不具合を防止することができる。例えば、撮像装置１００は、スルー画の表示画像、静止画の記録画像、動画の記録画像などに対して、変換方式の切替えタイミングで発生するノイズが影響すること（ノイズが表示されること、またはノイズが記録されること）を防止することができる。また、撮像装置１００は、動作モードが遷移中の場合、負荷で消費される電力の大きさに基づいて、変換方式を切替えることができる。
【０１０３】
また、制御部１８０は、動作モードが遷移中であると判定した場合、遷移後の動作モードに対応付けられている変換方式に切替える。これにより、撮像装置１００は、動作モードの遷移中の期間に、電圧変換部１９０による変換の変換方式を動作モードに応じて切替えることができる。
【０１０４】
また、電圧変換部１９０は、スイッチングレギュレータ１９１を含み、電圧変換部１９０による変換の変換方式をパルス幅変調方式としてスイッチングレギュレータ１９１を制御するＰＷＭ制御部１９２と、変換方式をパルス周波数変調方式としてスイッチングレギュレータ１９１を制御するＰＦＭ制御部１９３と、を備えている。そして、制御部１８０は、変換方式を、ＰＷＭ制御部１９２による変換方式、およびＰＦＭ制御部１９３による変換方式のうちの何れかに切替える。これにより、撮像装置１００は、負荷で消費される電力（電流）の大きさ、または撮像装置１００（負荷）の動作モードに基づいて、ＰＷＭ制御部１９２による変換方式およびＰＦＭ制御部１９３による変換方式のうちの何れか適した変換方式に切替えることができる。
【０１０５】
また、制御部１８０は、負荷において消費される電力（電流）が第１の閾値電力（電流）より大きい場合、変換方式をＰＷＭ制御部１９２による変換方式に制御し、負荷において消費される電力（電流）が第２の閾値電力（電流）より小さい場合、変換方式をＰＦＭ制御部１９３による変換方式に制御する。これにより、撮像装置１００は、負荷において消費される電力（電流）が大きい場合、ＰＷＭ方式によりスイッチングレギュレータ１９１を制御し、負荷において消費される電力（電流）が小さい場合、ＰＦＭ方式によりスイッチングレギュレータ１９１を制御することができる。よって、撮像装置１００は、負荷において消費される電力（電流）の大きさに基づいて、ＰＷＭ制御部１９２による変換方式およびＰＦＭ制御部１９３による変換方式のうちの何れか適した変換方式に切替えることができる。
【０１０６】
また、電圧変換部１９０は、ＰＷＭ制御部１９２およびＰＦＭ制御部のうちの何れかによりスイッチングレギュレータ１９１をスイッチング制御する際のスイッチング周波数を変更する周波数変更部１９４を備えている。そして、制御部１８０は、負荷において消費される電力の大きさに応じてスイッチング周波数を、周波数変更部１９４を制御することにより変更する。これにより、撮像装置１００は、負荷において消費される電力の大きさに応じて、スイッチングレギュレータ１９１をスイッチング制御する際のスイッチング周波数を適した周波数に変更することができる。
【０１０７】
例えば、制御部１８０は、スイッチング周波数を、負荷において消費される電力が大きくなることに応じて高い周波数とし、負荷において消費される電力が小さくなることに応じて低い周波数とすることが可能である。これにより、撮像装置１００は、変換方式の切替えを禁止している場合であっても、負荷において消費される電力が大きい場合には高いスイッチング周波数に制御し、負荷において消費される電力が小さい場合には低いスイッチング周波数に制御することができる。よって、撮像装置１００は、電圧変換方式の切替えを禁止している際に負荷の消費電力（電流）が大きくなった場合には、スイッチング周波数を高い周波数に変更することにより、電圧変換効率を向上させることや給電を安定化させることができる。
【０１０８】
また、スイッチングレギュレータ１９１をスイッチング制御する際のスイッチング周波数は、複数の動作モードそれぞれに対応付けられている。これにより、撮像装置１００は、撮像装置１００（負荷）の動作モードに基づいて、スイッチング周波数を適した周波数に変更することができる。
【０１０９】
また、制御部１８０は、電池温度検出部１８９により検出されたバッテリー２００の温度が所定の閾値温度以上であるか否かを判定し、検出された温度が所定の閾値温度以上であると判定した場合には、動作モードが遷移中でないと判定した場合であっても、変換方式の切替えを許可する。これにより、撮像装置１００は、バッテリー２００の温度が上昇した場合、動作モードが非遷移中であっても、電圧変換方式の切替え処理を許可することにより、さらに温度が上昇してしまうことを抑制することができる。すなわち、撮像装置１００は、バッテリー２００の温度が上昇した場合に、バッテリー２００を保護する制御に切替えることができる。
【０１１０】
また、制御部１８０は、操作部１７０が操作されたことに応じて変更される動作モードの遷移状態に基づいて、電圧変換部１９０による変換の変換方式の切替えを制御する。これにより、撮像装置１００は、ユーザによって操作部１７０のモーダイヤルやシャッターボタンが操作されたことに応じて変更される動作モードの遷移状態に基づいて、上述した電圧変換部１９０による変換の変換方式を切替える制御やスイッチング周波数を変更する制御を適切に実行することができる。
【０１１１】
なお、上述した動作モードは、例えば、静止画像の記録のための撮影処理が行われる「静止画記録モード」、動画像の記録のための撮影処理が行われる「動画記録モード」、構図確認用のスルー画像の表示処理が行われる「スルー画モード」、および記録されている画像の表示処理が行われる「再生モード」の何れかを含む。これにより、撮像装置１００は、動作モードが、例えば「静止画記録モード」、「動画記録モード」、「スルー画モード」、「再生モード」等に変更される際の遷移状態に基づいて、上述した電圧変換部１９０による変換の変換方式を切替える制御やスイッチング周波数を変更する制御を適切に実行することができる。
【０１１２】
なお、図２に示す構成は、電圧変換部１９０を１つ備えている構成の例であるが、これに限られるものではなく、電圧変換部１９０を複数備えている構成としてもよい。そして、制御部１８０は、複数の電圧変換部１９０それぞれを制御する構成としてもよい。
【０１１３】
図６は、電圧変換部１９０を複数備えている構成の一例を示す図である。この図の撮像装置１００は、３つの電圧変換部１９０ａ、１９０ｂ、１９０ｃを備えている。なお、図６において図２と対応する各部には同一の符号を付けている。電圧変換部１９０ａ、１９０ｂ、１９０ｃのそれぞれは、制御部１８０の制御によりそれぞれの供給先の負荷に出力電圧を供給する。発振回路１９８は、電圧変換部１９０ａ、１９０ｂ、１９０ｃのそれぞれにクロック信号を供給する。制御部１８０は、電圧変換部１９０ａ、１９０ｂ、１９０ｃ（複数の電圧変換部）それぞれを独立に制御する。なお、図６は、制御部１８０が３つの電圧変換部１９０ａ、１９０ｂ、１９０ｃをそれぞれ制御する構成を示しているが、複数の電圧変換部１９０は、２つであっても４つ以上であってもよい。また、これら複数の電圧変換部１９０は、一体化された構成であってもよい。
【０１１４】
これにより、制御部１８０は、複数の電圧変換部（例えば、電圧変換部１９０ａ、１９０ｂ、１９０ｃ）による変換の変換方式を切替える制御やスイッチング周波数を変更する制御を、それぞれの電圧変換部ごとに個別に制御することができる。よって、制御部１８０は、複数の電圧変換部（例えば、電圧変換部１９０ａ、１９０ｂ、１９０ｃ）が、撮像装置１００内の負荷に対して複数の種類の電圧を供給する場合に、それぞれの電圧ごとに、上述した変換方式を切替える制御やスイッチング周波数を変更する制御を実行することができる。
【０１１５】
なお、発振回路１８９が電圧変換部１９０の外部に備えられ、発振回路１８９から電圧変換部１９０に対してクロック信号が供給される構成に限られるものではなく、発振回路１８９は、電圧変換部１９０の内部に備えられていてもよい。これは、複数の電圧変換部を備えている場合、複数の電圧変換部それぞれに備えられていてもよいし、複数の電圧変換部が一体化された構成の内部に１つ備えられていてもよい。
なお、制御部１８０は、電圧変換部１９０に対する制御をシリアル通信などの通信処理を用いて行う構成としてもよい。
【０１１６】
また、撮像装置１００（負荷）の動作モードは、上述した動作モードに限られるものではない。例えば、動作モードには、「静止画の連写撮影モード」、「長時間露光モード」、ＧＰＳ（Global Positioning System）通信モードなど、各種の動作モードが含まれていてもよい。
【０１１７】
また、上記実施形態では、撮像装置１００がバッテリー２００を搭載している例を示したが、バッテリー２００などの電池が搭載されていない構成であってもよい。例えば、撮像装置１００は、電気エネルギーを発電する発電部を備えた構成であってもよい。そして、電圧変換部１９０は、この発電器から入力された電圧を負荷に供給する電圧に変換してもよい。上述の発電器とは、例えば、光エネルギーを電気エネルギーに変換して発電するソーラー式発電器などである。また、このような発電器と、バッテリー２００などの電池との両方を備えている構成であってもよい。
【０１１８】
また、上記実施形態の第１制御部１８１と第２制御部１８５とが、一体化されたＩＣ（Integrated Circuit）内に含まれている構成としてもよいし、別々のＩＣ内に含まれている構成としてもよい。また、第１制御部１８１が、電圧変換部１９０を有する電源ＩＣ内に含まれている構成としてもよいし、第１制御部１８１と第２制御部１８５とが、電圧変換部１９０を有する電源ＩＣ内に含まれている構成としてもよい。
【０１１９】
また、上記実施形態では、撮像装置１００を例として説明したが、本発明の電子機器は撮像装置１００に限られるものではなく、携帯電話、携帯型コンピュータ、携帯型ゲーム機、電子辞書、電子玩具など、その他の電子機器であってもよい。
【０１２０】
なお、上述の制御部１８０は専用のハードウェアにより実現されるものであってもよく、また、メモリおよびＣＰＵ（中央演算装置）により構成され、上述の制御部１８０の機能を実現するためのプログラムをメモリにロードして実行することによりその機能を実現させるものであってもよい。
【０１２１】
また、上述の制御部１８０の機能を実現するためのプログラムをコンピュータ読み取り可能な記録媒体に記録して、この記録媒体に記録されたプログラムをコンピュータシステムに読み込ませ、実行することにより上述の制御部１８０の処理を行ってもよい。なお、ここでいう「コンピュータシステム」とは、ＯＳや周辺機器等のハードウェアを含むものとする。
【０１２２】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであってもよく、さらに前述した機能をコンピュータシステムにすでに記録されているプログラムとの組み合わせで実現できるものであってもよい。
【０１２３】
以上、この発明の実施形態を図面を参照して詳述してきたが、具体的な構成はこの実施形態に限られるものではなく、この発明の要旨を逸脱しない範囲の設計等も含まれる。
【符号の説明】
【０１２４】
１００  撮像装置、１７０  操作部、１８０  制御部、１８１  第１制御部、１８５  第制御部、１９０  電圧変換部、１９１  スイッチングレギュレータ、１９２  ＰＷＭ制御部（第１変換制御部）、１９３  ＰＦＭ制御部（第２変換制御部）、１９４  周波数変更部、１９８  電池温度検出部、２００  バッテリー（電池）
【図１】
2013153630.tif 000003
【図２】
2013153630.tif 000004
【図３】
2013153630.tif 000005
【図４】
2013153630.tif 000006
【図５】
2013153630.tif 000007
【図６】
2013153630.tif 000008